(57)【要約】【課題】  Ｐ型又は／及びＮ型粉末半導体で構成する共鳴振動膜に太陽光の赤外線を放射して同赤外線が増幅される。この結果、生命体の成長を向上することができる。【解決手段】  上記、共鳴振動膜は、Ｐ型、Ｎ型半導体を粉末加工しこれら単独又は混合物にインクを混入して構成するこの共鳴振動膜で太陽光の赤外線を増幅して、生命体に放射することで同生命体の成長の向上を得ることができる。更に、太陽光と他の光源を使用することで生命体の成長をより早めることができる。【特許請求の範囲】
【請求項１】
Ｐ型又は／及びＮ型又は前記両者を混合した粉末半導体で共鳴振動膜を構成したことを特徴とする共鳴振動体。
【請求項２】
上記請求項１の粉末状半導体に前記インクを混合して共鳴振動膜とする事を特徴とする共鳴振動体。
【請求項３】
上記請求項１〜２の共鳴振動膜は保持部材に印刷したことを特徴とする共鳴振動体。
【請求項４】
上記請求項１〜２の共鳴振動膜は保持部材に塗布したことを特徴とする共鳴振動体。
【請求項５】
上記請求項１〜４の共鳴振動膜は、Ｐ型又は／及びＮ型半導体で構成したことを特徴とする共鳴振動体。
【請求項６】
上記請求項１〜５の共鳴振動膜はＰ，Ｎ型半導体を交互に積層したことを特徴とする共鳴振動体。
【請求項７】
上記請求項１〜６の共鳴振動膜は、ＬＥＤ・蛍光灯層等発光源を併用することを特徴とする共鳴振動体。
【請求項８】
上記請求項１〜７の共鳴振動膜は、特定の波長とのみ共振増幅し、大きなエネルギーとして放射することを特徴とする共鳴振動体。
【発明の詳細な説明】
【発明の詳細な説明】
【技術分野】
【０００１】  本発明は、半導体層を構成要素として形成された共鳴振動膜に関し、特に半導体などを用いて必要とする赤外線を太陽光の放射波長の内の赤外線と同調させ、エネルギーとして放射出力を得る共鳴振動体に関する。
【背景技術】
【０００２】  従来、生命体の成長は、太陽光の赤外線によって営まれているは公知である。
発明は、上記太陽光の赤外線の放射出力を半導体（Ｐ型、Ｎ型）で構成した共鳴振動膜で増幅することにより、収穫量増大、収穫に到る時期の短縮、結果が得た。従来の自然太陽光では収獲量が少なく、更に、収穫に到る日数を多く要する等の問題点がある。
【発明が解決しようとする課題】
【０００３】  本発明は人間、動物類、植物類、菌類、なお、畜産、魚介類、農作物以下生命体の成長をミトコンドリアと共働して放射エネルギーを増幅することで解決できる。
【０００４】  太陽光から赤外線が放射されて光合成反応がおこる。光合成には明反応と暗反応があり２４時間地球に放射されている。
赤外線は可視光より波長が長いため人の目では見えない、可視光の明るさ、暗さに関係しない、絶対０°Ｋ以上の全ての物体から自然に放射されている。熱線として物体を暖めるなどの性質がある。電磁波の一種であり、真空中でも伝播され、赤外線エネルギーと物体の温度は相関関係にある。このような赤外線の性質は一般に知られているが、これらの性質を利用する為に特定の共鳴振動数の波長を必要とする。共鳴振動膜波長が増幅され、太陽光内の同波長が放射された波長に同調して出力が継続されるものは未だ提供されていない。
【課題を解決するための手段】
【０００５】  本発明は、Ｐ型又は／及びＮ型又は前記両者を混合した粉末半導体で共鳴振動膜を構成したことで解決できる。
【０００６】  本発明は、粉末状半導体に前記インクを混合して共鳴振動膜とする事で解決できる。
【０００７】  本発明の共鳴振動膜は保持部材に印刷したことで解決できる。
【０００８】  本発明の共鳴振動膜は保持部材に塗布したことで解決できる。
【０００９】  本発明の共鳴振動膜は、Ｐ型又は／及びＮ型半導体で構成したことで解決できる。
【００１０】  本発明の共鳴振動膜はＰ，Ｎ型半導体を交互に積層したことで解決できる。
【００１１】  本発明の共鳴振動膜は、ＬＥＤ、蛍光灯層他の発光源を併用することで解決できる。
【００１２】  本発明の共鳴振動膜は、特定の波長とのみ共振増幅し、大きなエネルギーとして放射することで解決できる。
【発明を実施するための最良の形態】
【００１３】  粉末半導体Ｐ型４又は粉末半導体５Ｎ型又は前者両者を混合した粉末半導体６で共鳴振動膜を構成し、該共鳴振動膜で太陽光の赤外線を増幅して生命体に放射することを特徴とする共鳴振動体である。
【実施例１】
【００１４】  図１は本発明の共鳴振動膜３の要部の断面図である。上記共鳴振動膜３の表面を保護する、剥離可能な台紙１、はＰ型粉末半導体４又は／及びＮ型粉末半導体５を塗布又は印刷して共鳴振動膜３を支持する支持部材２。【００１５】  図２は本発明の共鳴振動膜３の要部の断面図である。これらは支持部材２の、所定面、所定位置に所定大きさ及び形状で構成する。それぞれについて説明すれば、Ｐ型、又は、Ｎ型粉末半導体は例えば、インク、塗料、接着剤としての素材に、半導体のメッシュ５０前後〜１００００前後のパウダーを混入させたものである。半導体としては、Ｐ型４、又は、Ｎ型５あるいは両者を混合６したものを用いる。こうすることにより、粉末半導体は有る程度の伸縮性を有するものとなる。粉末半導体は、円形あるいは、多角形状に、任意の形状に印刷したり、塗布したりすることによって支持部材２の所望の位置に配置することができる。【００１６】  図３は、本発明の共鳴振動膜３と太陽光７の共鳴振動膜３の同調増幅反応状態である。太陽光７の赤外線波長が共鳴振動膜３を通過すると同時に共鳴振動増幅が発生する。この波長は生物圏波長で、その共鳴振動増幅が生命体８内で同調増幅反応が起きて体温が変化する。但し、太陽光７波長内の生物圏の波長以上は反応しないので一定条件反応なので安全である。【００１７】  図４は、本発明の共鳴振動膜３と太陽光７と特定光源９の共鳴振動膜３の同調増幅反応状態である。太陽光７と特定光源９つまり特定の波長は同時に共鳴振動膜３に通過する。さらにこれと同時に特定波長と生物圏波長がそれぞれの波長がそれぞれ増幅されそれぞれ共鳴振動３が発生する。但し、太陽光７波長内の生物圏の波長以上は反応しない、つまり一定条件反応なので安全である。【００１８】  尚、本発明は上述した他に、共鳴振動膜３と塩類１０を組合（混合又は別体として）せて実施することにより、一例として人体の血流を改善することができる。
【発明の効果】
【００１９】  本発明によれば、太陽光の赤外線は前述の共鳴振動の生命体に放射され、この結果、同生命体の成長率を各段に向上することができる。つまり、一例として収穫量の増量、収穫時期を短縮される。
【００２０】  加えて、新たに他の光源を併用することにより、より大きな経済効果を期待できる。
【図面の簡単な説明】
【００２１】
【図１】本発明による共鳴振動膜の要部の断面図である。
【図２】本発明による共鳴振動膜の要部の断面図である。
【図３】本発明の共鳴振動膜と太陽光の共鳴振動膜の同調増幅反応状態である。
【図４】本発明の共鳴振動膜と太陽光と特定光源の共鳴振動膜の同調増幅反応状態である。
【符号の説明】
【００２２】１          台紙
２          支持部材
３          共鳴振動膜
４          Ｐ型粉末半導体
５          Ｎ型粉末半導体
６          Ｐ型とＮ型粉末混合半導体
７          太陽光
８          生命体
９          光源
１０        塩類
【図１】
2012169579.tif 000002
【図２】
2012169579.tif 000003
【図３】
2012169579.tif 000004
【図４】
2012169579.tif 000005